(57)【要約】 【課題】高品位化を図ることができる電子機器を提供する。【解決手段】一つの実施形態に係る電子機器は、筐体と、クリックパッドと、支持部とを備える。前記クリックパッドは、前記筐体の内側に向けて撓むことでスイッチが押される第１端部と、該第１端部とは反対側に位置した第２端部とを有する。前記支持部は、前記クリックパッドの第１端部が押された時に、前記筐体の内側から前記クリックパッドを支持して前記クリックパッドの撓みの支点となるとともに、前記クリックパッドの第１端部と第２端部とを結ぶ方向で位置が変更可能である。【選択図】図６
2014146156.tif 000002
【特許請求の範囲】
【請求項１】
筐体と、
前記筐体の内側に向けて撓むことでスイッチが押される第１端部と、該第１端部とは反対側に位置した第２端部とを有したクリックパッドと、
前記クリックパッドの第１端部が押された時に、前記筐体の内側から前記クリックパッドを支持して前記クリックパッドの撓みの支点となるとともに、前記クリックパッドの第１端部と第２端部とを結ぶ方向で位置が変更可能な第１支持部と、
を備えた電子機器。
【請求項２】
請求項１に記載の電子機器において、
前記クリックパッドは、前記筐体の外部に露出した第１面と、該第１面とは反対側に位置した第２面とを有し、
前記第１支持部は、前記クリックパッドの第１端部が押された時に、前記第２面を支持する電子機器。
【請求項３】
請求項２に記載の電子機器において、
前記筐体内に設けられ、前記クリックパッドの第２面に面した受け部材をさらに備え、
前記第１支持部は、前記受け部材に着脱可能に取り付けられた電子機器。
【請求項４】
請求項３に記載の電子機器において、
前記第１支持部は、前記クリックパッドの第１端部と第２端部とを結ぶ方向でスライド可能である電子機器。
【請求項５】
請求項４に記載の電子機器において、
前記受け部材は、前記クリックパッドの第１端部と第２端部とを結ぶ方向に延びた孔が設けられ、
前記第１支持部は、前記孔に挿入されたガイドを有した電子機器。
【請求項６】
請求項５に記載の電子機器において、
前記第１支持部は、該第１支持部の位置が調整された後に前記受け部材に固定される固定部を有した電子機器。
【請求項７】
請求項１乃至請求項６のいずれかに記載の電子機器において、
前記クリックパッドの第１端部が押された時に、前記筐体の内側から前記クリックパッドを支持して前記クリックパッドの撓みの支点となるとともに、前記第１支持部と略同じ方向で位置が変更可能な第２支持部をさらに備え、
前記クリックパッドは、前記第１端部と前記第２端部とに亘る第３端部と、該第３端部とは反対側に位置した第４端部とを有し、
前記第１支持部と前記第２支持部とは、前記クリックパッドの第３端部と第４端部とに分かれて位置した電子機器。
【請求項８】
請求項７に記載の電子機器において、
前記第１支持部と前記第２支持部とは互いに連結された電子機器。
【請求項９】
請求項１乃至請求項３のいずれかに記載の電子機器において、
前記第１支持部は、前記クリックパッドの第１端部と第２端部とを結ぶ方向に沿って予め設定された複数の位置から選択された一つ位置に取付可能である電子機器。
【請求項１０】
請求項９に記載の電子機器において、
前記受け部材は、前記複数の位置の其々に前記第１支持部が着脱可能に取り付けられる固定部が設けられた電子機器。
【発明の詳細な説明】
【技術分野】
【０００１】
本発明の実施形態は、電子機器に関する。
【背景技術】
【０００２】
昇降機構を備えた画像表示入力装置が提案されている。
【先行技術文献】
【特許文献】
【０００３】
【特許文献１】特開平１１−２８２６２３号公報
【発明の概要】
【発明が解決しようとする課題】
【０００４】
電子機器は、高品位化が要望されている。
【０００５】
本発明の目的の一つは、高品位化を図ることができる電子機器を提供することである。
【課題を解決するための手段】
【０００６】
一つの実施形態によれば、電子機器は、筐体と、クリックパッドと、支持部とを備える。前記クリックパッドは、前記筐体の内側に向けて撓むことでスイッチが押される第１端部と、該第１端部とは反対側に位置した第２端部とを有する。前記支持部は、前記クリックパッドの第１端部が押された時に、前記筐体の内側から前記クリックパッドを支持して前記クリックパッドの撓みの支点となるとともに、前記クリックパッドの第１端部と第２端部とを結ぶ方向で位置が変更可能である。
【図面の簡単な説明】
【０００７】
【図１】第１実施形態に係る電子機器の斜視図。
【図２】第１実施形態に係るクリックパッドユニットを分解して示す斜視図。
【図３】第１実施形態に係るクリックパッド、ホルダ、受け部材、及びクリック感調整部材が組み立てられた構造を示す斜視図。
【図４】第１実施形態に係るホルダ、受け部材、及びクリック感調整部材が組み立てられた構造を示す斜視図。
【図５】第１実施形態に係る受け部材及びクリック感調整部材が組み立てられた構造を示す斜視図。
【図６】図１中に示された電子機器のＦ６−Ｆ６線に沿う断面図。
【図７】図１中に示された電子機器のＦ７−Ｆ７線に沿う断面図。
【図８】図７中に示されたＦ８線で囲まれた領域を拡大して示す断面図。
【図９】第２実施形態に係る受け部材及びクリック感調整部材が組み立てられた構造を示す斜視図。
【図１０】第２実施形態に係るクリックパッドユニットの断面図。
【図１１】第３実施形態に係る受け部材及び支持部を示す斜視図。
【発明を実施するための形態】
【０００８】
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
以下、実施の形態について、図面を参照して説明する。
【００１０】
（第１実施形態）  
図１乃至図８を参照して、第１実施形態に係る電子機器１について説明する。図１に示すように、本実施形態に係る電子機器１は、例えばノートブック型パーソナルコンピュータ（ノートＰＣ）である。なお、本実施形態が適用可能な電子機器は、上記例に限られず、例えばタブレット端末や、テレビジョン受像機、携帯電話（スマートフォンを含む）、ゲーム機など種々の電子機器に広く適用可能である。
【００１１】
図１に示すように、電子機器１は、第１筐体２、第２筐体３、及びヒンジ４ａ，４ｂを有する。第１筐体２は、例えば本体筐体である。第１筐体２には、例えば回路基板５やバッテリなどが収容されている。
【００１２】
第１筐体２は、下壁１１（底壁、第１壁）、上壁１２（第２壁）、及び周壁１３（第３壁）を有し、扁平な箱状に形成されている。下壁１１は、例えば電子機器１を机の上に置いた時に、机上面（載置面、外部載置面）に向かい合う。下壁１１は、例えば複数の脚部１４（支持部）を有する。脚部１４は、電子機器１が机の上に置かれた時、机上面に接して電子機器１を支持する。
【００１３】
上壁１２は、下壁１１とは反対側に位置する。上壁１２は、例えば下壁１１と略平行に延びている。上壁１２は、例えば、キーボード１５と、クリックパッドユニット１６とが設けられている。キーボード１５及びクリックパッドユニット１６は、「入力部（入力受付部）」の其々一例である。なお、電子機器１は、キーボード１５に代えて、タッチパネル（タッチセンサ）やその他の入力装置を備えてもよい。上壁１２には、クリックパッドユニット１６が露出する開口部１２ａが設けられている。
【００１４】
周壁１３は、下壁１１及び上壁１２とは交差した方向に延び、下壁１１の周縁部と上壁１２の周縁部とを繋いでいる。周壁１３は、前壁１３ａ、後壁１３ｂ、第１側壁１３ｃ（例えば左壁）、及び第２側壁１３ｄ（例えば右壁）を含む。
【００１５】
ここで、第１筐体２は、第１端部２ａと、第２端部２ｂとを有する。第１端部２ａは、例えば前端部である。第２端部２ｂは、第１端部２ａとは反対側に位置する。第２端部２ｂは、例えば後端部である。第２端部２ｂには、ヒンジ４ａ，４ｂが連結されている。なお本明細書では、机上面に置かれた電子機器の姿勢を基準にして、ユーザーから見て近い方を「前」、遠い方を「後」と定義する。また、ユーザーから見て左右を定義する。
【００１６】
前壁１３ａは、第１筐体２の第１端部２ａに位置し、第１筐体２の長手方向（幅方向）に延びている。後壁１３ｂは、前壁１３ａとは反対側に位置し、前壁１３ａと略平行に延びている。第１側壁１３ｃ及び第２側壁１３ｄは、前壁１３ａ及び後壁１３ｂとは交差した（例えば略直交した）方向に延び、前壁１３ａと後壁１３ｂとの間を繋いでいる。
【００１７】
図１に示すように、クリックパッドユニット１６は、前壁１３ａとキーボード１５との間に位置する。第１筐体２は、クリックパッドユニット１６と第１側壁１３ｃとの間、及びクリックパッドユニット１６と第２側壁１３ｄとの間に、パームレスト１７ａ，１７ｂを有する。
【００１８】
図１に示すよう、第２筐体３は、例えば表示筐体である。第２筐体３は、ディスプレイ１８（表示装置、表示モジュール）が収容されている。ディスプレイ１８は、表示画面１８ａを有する。第２筐体３の前壁は、表示画面１８ａが露出する開口部３ａが設けられている。
【００１９】
ヒンジ４ａ，４ｂは、第１筐体２の端部と第２筐体３の端部とを回動可能（開閉可能）に連結している。これにより、電子機器１は、開閉可能（折り畳み可能）である。電子機器１は、第１筐体２と第２筐体３とが重なり合う第１状態と、第１筐体２と第２筐体３とが開かれてキーボード１５、クリックパッドユニット１６、及び表示画面１８ａが外部に露出される第２状態との間で変形可能である。
【００２０】
次に、本実施形態に係るクリックパッドユニット１６について詳しく説明する。なお、以下の説明では、第１筐体２を単に「筐体２」と称する。図２乃至図５に示すように、クリックパッドユニット１６は、クリックパッド２１、ホルダ２２、受け部材２３、及びクリック感調整部材２４を有する。
【００２１】
クリックパッド２１は、ポインティングデバイスの機能と、押しボタンの機能とを兼ね備えた平板状の入力装置である。すなわち、クリックパッド２１は、該クリックパッド２１の表面をなぞる指の動き（軌跡）を表示画面１８ａ上のマウスポインタの動きに関連付けるとともに、該クリックパッド２１の表面を押す動きをマウスのクリックと同じ入力操作として扱う。
【００２２】
より詳しく述べると、クリックパッド２１は、第１面２１ａ（操作面、入力面）と、該第１面２１ａとは反対側に位置した第２面２１ｂ（裏面、支持面）とを有する。第１面２１ａは、筐体２の外部（電子機器１の外部）に露出されている。ユーザーは、例えば指で第１面２１ａをなぞることで、クリックパッド２１に対して入力操作を行うことができる。一方で、第２面２１ｂは、筐体２の内部に面する。
【００２３】
図３に示すように、クリックパッド２１は、第１乃至第４の端部３１ａ，３１ｂ，３１ｃ，３１ｄを有する。第１端部３１ａは、例えば前端部である。第１端部３１ａは、前壁１３ａと略平行に延びている。第２端部３１ｂは、例えば後端部であり、第１端部３１ａとは反対側に位置する。第２端部３１ｂは、キーボード１５の隣に位置する。第２端部３１ｂは、第１端部３１ａと略平行に延びている。
【００２４】
第３端部３１ｃ及び第４端部３１ｄは、第１端部３１ａ及び第２端部３１ｂとは交差した（例えば略直交した）方向に延びている。第３端部３１ｃ及び第４端部３１ｄは、第１端部３１ａと第２端部３１ｂとの間に其々亘る。第３端部３１ｃは、第１側端部（例えば左端部）である。第４端部３１ｄは、第２側端部（例えば右端部）であり、第３端部３１ｃとは反対側に位置する。
【００２５】
クリックパッド２１の第１端部３１ａの第２面２１ｂには、スイッチ３２（クリックスイッチ、押圧スイッチ）が設けられている（図３、図６参照）。スイッチ３２は、クリックパッド２１の第１端部３１ａが筐体２の内側に向けて押されることで操作される。すなわち、スイッチ３２は、クリックパッド２１の第１端部３１ａが筐体２の内側に向けて撓むことで押される（作動する）。ユーザーは、スイッチ３２を作動させることで、例えば特定の操作の決定やキャンセルを入力することができる。
【００２６】
次に、先に図５乃至図７を参照して、受け部材２３（受け部）について説明する。受け部材２３は、筐体２内に設けられ、クリックパッド２１の第２面２１ｂに面する。受け部材２３は、例えば板金部材である。受け部材２３は、クリックパッド２１の下方に位置し、筐体２の内側に向いて押された（沈み込んだ）クリックパッド２１を受ける。
【００２７】
より詳しく述べると、図５に示すように、受け部材２３は、第１受け部３４、第２受け部３５、一対の起立部３６ａ，３６ｂ、及び取付部３７を有する。第１受け部３４（第１水平部）は、例えばクリックパッド２１と略同じ外形を有する。第１受け部３４は、クリックパッド２１の下方を覆うように略水平に延びている。
【００２８】
図５及び図６に示すように、第１受け部３４の前端部には、突起３８が設けられている。突起３８は、クリックパッド２１のスイッチ３２に向いて突出し、スイッチ３２に面する。突起３８は、クリックパッド２１が押されていない状態で、スイッチ３２に接していてもよく、または僅かな隙間を空けてスイッチ３２から離れていてもよい。クリックパッド２１の第１端部３１ａが筐体２の内側に向けて押された時に、スイッチ３２は、突起３８に押されて作動する。
【００２９】
なお、スイッチ３２は、クリックパッド２１の第２面２１ｂに代えて、受け部材２３または筐体２内の別の場所に設けられてもよい。この場合、例えばクリックパッド２１の第２面２１ｂには、スイッチ３２を押す構造（例えば突起３８）が設けられてもよい。このような構成によっても、クリックパッド２１の第１端部３１ａが筐体２の内側に向けて撓むことでスイッチ３２が押される構造を実現することができる。
【００３０】
図７に示すように、一対の起立部３６ａ，３６ｂ（側壁）は、第１受け部３４の左右の端部から下方に向けて延びている。一対の起立部３６ａ，３６ｂの間には、例えばモジュール３９が位置する。モジュール３９は、第１受け部３４と筐体２の下壁１１との間に位置する。モジュール３９は、例えばＨＤＤ（Hard Disk Drive）である。すなわち、本実施形態に係る受け部材２３は、ＨＤＤ保護用の部材でもある。
【００３１】
なお、受け部材２３に覆われるモジュール３９は、ＨＤＤに限らず、例えばＳＳＤ（Solid State Drive）、各種基板、バッテリ、ＯＤＤ（Optical Disk Drive）またはその他の部品でもよい。また、受け部材２３は、モジュール３９の保護以外の目的で設けられる部材であってもよい。
【００３２】
図５に示すように、第２受け部３５（第２水平部）は、第１受け部３４から前方に突出している。第２受け部３５は、第１受け部３４と同様に、略水平に延びている。一方で、取付部３７（固定部、支持部）は、受け部材２３の後端部に設けられている。取付部３７は、例えば第１受け部３４の後方に突出している。取付部３７は、第１受け部３４と同様に、略水平に延びている。図５及び図６に示すように、取付部３７には、ねじ４４が通される穴３７ａが設けられている。
【００３３】
次に、図４乃至図７を参照して、ホルダ２２について説明する。図４及び図７に示すように、クリックパッド２１の下方には、クリックパッド２１を保持するホルダ２２（クリックパッドホルダ）が設けられている。ホルダ２２は、クリックパッド２１と受け部材２３との間に位置する。ホルダ２２は、筐体２内に設けられるとともに、クリックパッド２１の第２面２１ｂを支持する。
【００３４】
詳しく述べると、ホルダ２２は、保持部４１、取付部４２、及び弾性支持部４３を有する。保持部４１は、クリックパッド２１よりも一回り大きな外形を有するとともに、クリックパッド２１の下方を覆うように略水平に延びている。保持部４１の上面には、クリックパッド２１が取り付けられる凹部が設けられている。クリックパッド２１は、例えば両面テープで保持部４１に取り付けられ、下方から支持される。
【００３５】
なお図４に示すように、本実施形態に係る保持部４１は、例えば該保持部４１の中央部に開口部４１ａ（第１開口部）が設けられている。開口部４１ａが設けられることで、クリックパッド２１の第２面２１ｂに部品が実装されている場合に、該部品とホルダ２２との干渉を避けることができる。なお、保持部４１は、開口部４１ａが設けられていなくてもよい。
【００３６】
ホルダ２２は、例えば合成樹脂製（例えばゴム製）であり、弾性を有する。保持部４１は、クリックパッド２１の第１端部３１ａが押された時、クリックパッド２１と共に筐体２の内側に向けて撓む。すなわち、保持部４１は、クリックパッド２１と一体となり、クリックパッド２１の動きに伴って撓む。保持部４１には、スイッチ３２が通される開口部４１ｂ（第２開口部）が設けられている。スイッチ３２は、開口部４１ｂに通されて筐体２内に露出し、受け部材２３の突起３８に面する。
【００３７】
図４に示すように、取付部４２（固定部、支持部）は、例えばホルダ２２の後端部に設けられている。取付部４２は、例えば受け部材２３の取付部３７に向いて突出した部分を含む。図６に示すように、取付部４２は、受け部材２３の取付部３７に接し、受け部材２３に支持される。これにより、ホルダ２２は、筐体２内で支持される。また、取付部４２が受け部材２３に支持されることで、保持部４１と受け部材２３との間に、クリックパッド２１及び保持部４１が撓むことができる隙間ｇが確保される。
【００３８】
図４及び図６に示すように、取付部４２には、ねじ４４が通される穴４２ａが設けられている。筐体２の上壁１２の内面には、ねじ穴が設けられた固定部４５（例えばボス）が設けられている。ホルダ２２の取付部４２及び受け部材２３の取付部３７は、ねじ４４（固定具）によって固定部４５に固定される。これにより、ホルダ２２の後端部は、筐体２に固定されている。ホルダ２２は、後述するクリック感調整部材２４が設けられていない状態では、該後端部を支点（回転の支点）として撓むことができる。
【００３９】
一方で、弾性支持部４３は、例えばホルダ２２の前端部に設けられている。弾性支持部４３は、例えばアーム状に延びている。弾性支持部４３は、例えば先端に進むに従い細くなるとともに、斜め下方に向いて折れ曲がっている。これにより、弾性支持部４３は、比較的大きく変形することができるとともに、十分な反発力を有することができる。
【００４０】
弾性支持部４３の先端部は、受け部材２３の第２受け部３５に面する。弾性支持部４３の先端部は、クリックパッド２１が押されていない状態で、第２受け部３５に接していてもよく、または僅かな隙間を空けて第２受け部３５から離れていてもよい。弾性支持部４３は、クリックパッド２１の第１端部３１ａが押されてクリックパッド２１及び保持部４１が筐体２の内側に向けて撓むことで、受け部材２３の第２受け部３５に比較的強く接して弾性変形する。このため、ユーザーの指がクリックパッド２１から離れると、クリックパッド２１及び保持部４１は、弾性支持部４３及び保持部４１の弾性力によって元の位置に復帰する。
【００４１】
次に、クリック感調整部材２４について説明する。  
図５に示すように、クリック感調整部材２４は、必要に応じて、受け部材２３に着脱可能に取り付けられる。本実施形態に係るクリック感調整部材２４は、例えば細長い板金が折り曲げられて形成されている。クリック感調整部材２４は、第１及び第２の支持部５１，５２、及び連結部５３を有する。
【００４２】
第１及び第２支持部５１，５２は、該クリック感調整部材２４の一部がクリックパッド２１の第２面２１ｂに向いて（すなわち上方に向いて）折り曲げられることで設けられている。第１及び第２の支持部５１，５２は、クリックパッド２１の第３端部３１ｃと第４端部３１ｄとに分かれて位置する。
【００４３】
第１及び第２支持部５１，５２は、クリックパッド２１の第１端部３１ａが押された時に、ホルダ２２の下面を受ける（ホルダ２２が接する）支点部５４（当接部、平面部）を其々有する。支点部５４は、受け部材２３の第１受け部３４の上方に位置する。これにより、支点部５４は、クリックパッド２１の下方に位置し、クリックパッド２１の第２面２１ｂに面する。
【００４４】
支点部５４は、クリックパッド２１が押されていない状態で、保持部４１の下面に接していてもよく、僅かな隙間を空けて保持部４１から離れていてもよい。一方で、クリックパッド２１の第１端部３１ａが押されて、クリックパッド２１が筐体２の内側に撓む時は、支点部５４は、筐体２の内側からクリックパッド２１の第２面２１ｂを支持してクリックパッド２１の撓みの支点（回転の支点）となる。
【００４５】
詳しく述べると、支点部５４は、クリックパッド２１の第１端部３１ａが押された時に、保持部４１を介してクリックパッド２１の第２面２１ｂを支持する。このため、クリックパッド２１の支点部５４に接した部分は、実質的に撓まない。クリックパッド２１は、支点部５４の縁６５（前縁）を沈み込みの開始点として、第１及び第２の支持部５１，５２よりも前方の領域で撓む。
【００４６】
図５に示すように、連結部５３は、第１及び第２の支持部５１，５２の支点部５４の間に設けられている。これにより、第１及び第２の支持部５１，５２は、連結部５３によって互いに連結されている。連結部５３は、第１及び第２の支持部５１，５２の支点部５４との間に段差部５５を有する。この段差部５５は、クリック感調整部材２４の厚さ方向（クリックパッド２１の撓み方向）に起立している。この段差部５５が設けられていることで、クリック感調整部材２４の厚さ方向の剛性が高められている。これにより、第１及び第２の支持部５１，５２は、クリックパッド２１の第２面２１ｂをさらに安定して支持することができる。
【００４７】
図５に示すように、受け部材２３の第１受け部３４には、一対の第１孔５６（スリット）が設けられている。第１孔５６は、クリックパッド２１の第１端部３１ａと第２端部３１ｂとを結ぶ方向Ｘに延びている。一対の第１孔５６は、受け部材２３の第１受け部３４の左右の端部に分かれて位置する。第１孔５６は、例えばクリックパッド２１の第１端部３１ａと第２端部３１ｂとの間の距離の半分以上の長さに亘る。
【００４８】
第１及び第２の支持部５１，５２は、ガイド５７を其々有する。ガイド５７は、支点部５４の端部から下方に向いて延びるとともに、第１孔５６に挿入されている。ガイド５７は、第１孔５６に案内されて移動可能である。これにより、クリック感調整部材２４（すなわち第１及び第２の支持部５１，５２）は、クリックパッド２１の第１端部３１ａと第２端部３１ｂとを結ぶ方向Ｘでスライド可能であり、該方向Ｘで位置が変更可能である。すなわち、クリック感調整部材２４は、第１端部３１ａに近付く方向、及び遠ざかる方向にスライド可能である。
【００４９】
図６及び図７に示すように、受け部材２３の起立部３６ａ，３６ｂには、第２孔６１が其々設けられている。第２孔６１は、クリックパッド２１の第１端部３１ａと第２端部３１ｂとを結ぶ方向Ｘに延びている。第２孔６１は、クリック感調整部材２４の第１及び第２の支持部５１，５２のガイド５７に面する。第２孔６１は、ねじ６２が通される挿通孔である。
【００５０】
ガイド５７は、固定部６３が設けられている。固定部６３は、例えばねじ６２が係合するねじ穴である。すなわち、第２孔６１に通されたねじ６２が固定部６３に係合することで、第１及び第２の支持部５１，５２は、受け部材２３に固定される。これにより、第１及び第２の支持部５１，５２は、該第１及び第２の支持部５１，５２の位置が調整された後に、受け部材２３に固定されて動かなくなる。
【００５１】
次に、電子機器１の作用について説明する。  
本実施形態では、クリックパッド２１の第１端部３１ａと第２端部３１ｂとを結ぶ方向Ｘに移動可能なクリック感調整部材２４が設けられている。そして、クリックパッド２１の第１端部３１ａを押した時に、クリックパッド２１は、クリック感調整部材２４の第１及び第２支持部５１，５２の縁６５（前縁）を起点として撓む。
【００５２】
このため、クリック感調整部材２４を、クリックパッド２１の第１端部３１ａに向けて移動させることで、クリックパッド２１の撓み量を小さくし、クリック感を硬くすることができる。一方で、クリック感調整部材２４を、クリックパッド２１の第２端部３１ｂに向けて移動させることで、クリックパッド２１の撓み量を大きくし、クリック感を柔らかくすることができる。また、高品位が要求されないモデル（仕様）では、クリック感調整部材２４を省略することもできる。これにより、高品位が要求されないモデルでは、コストダウンを容易に図ることができる。
【００５３】
近年、クリックパッドを搭載した電子機器が提案されている。ここで、クリックパッド２１は、ポインティングデバイスの機能も含むため、比較的面積が広い。このため、個々の製品では、部品公差の影響で撓み量のばらつきが大きくなりやすく、クリック感にばらつきが生じやすい。これは、電子機器の高品位化を困難にする。
【００５４】
一方で、本実施形態に係る電子機器１によれば、高品位化を図ることができる。すなわち、本実施形態に係る電子機器１は、筐体２と、クリックパッド２１と、第１支持部５１とを備える。クリックパッド２１は、筐体２の内側に向けて撓むことでスイッチ３２が押される第１端部３１ａと、該第１端部３１ａとは反対側に位置した第２端部３１ｂとを有する。第１支持部５１は、クリックパッド２１の第１端部３１ａが押された時に、筐体２の内側からクリックパッド２１を支持してクリックパッド２１の撓みの支点となるとともに、クリックパッド２１の第１端部３１ａと第２端部３１ｂとを結ぶ方向Ｘで位置が変更可能である。
【００５５】
この構成によれば、クリックパッド２１の第１端部３１ａと第２端部３１ｂとを結ぶ方向Ｘで第１支持部５１の位置を調整することができ、クリックパッド２１の撓み量を容易に調整することができる。これにより、例えばクリック感のばらつきが大きい場合などに、製品ごとにクリック感を容易に調整することができる。これにより、電子機器１の高品位化を図ることができる。
【００５６】
ここで、クリックパッド２１と受け部材２３との間の隙間ｇは、クリックパッド２１が撓むための空間であり、デッドスペースになりやすい。本実施形態では、このようなデッドスペースを利用して、クリック感調整部材２４が設けられている。すなわち、本実施形態によれば、クリック感調整部材２４を設けても、電子機器１の大型化を避けることができる。
【００５７】
また、高品位が要求されないモデルでは、例えばクリック感調整部材２４を省略することができる。換言すれば、高品位が必要なモデルと、高品位が要求されないモデルとを、クリック感調整部材２４の有無だけで切り替えが可能であり、他の部品の設計変更が不要である。これは、電子機器１の低コスト化に寄与する。
【００５８】
本実施形態では、クリックパッド２１は、筐体２の外部に露出した第１面２１ａと、該第１面２１ａとは反対側に位置した第２面２１ｂとを有する。第１支持部５１は、クリックパッド２１の第１端部３１ａが押された時に、クリックパッド２１の第２面２１ｂを支持する。この構成によれば、第１支持部５１は、クリックパッド２１の比較的面積が大きな第２面２１ｂを支持するので、クリックパッド２１をさらに安定して支持することができる。
【００５９】
本実施形態では、電子機器１は、筐体２内に設けられて、クリックパッド２１の第２面２１ｂに面した受け部材２３をさらに備える。第１支持部５１は、受け部材２３に着脱可能に取り付けられる。この構成によれば、第１支持部５１が受け部材２３によって安定して支持される。これにより、クリックパッド２１をさらに安定して支持することができる。
【００６０】
本実施形態では、第１支持部５１は、クリックパッド２１の第１端部３１ａと第２端部３１ｂとを結ぶ方向Ｘでスライド可能である。この構成では、第１支持部５１は、位置の微調整が行いやすい。これにより、電子機器１のさらなる高品位化を図ることができる。
【００６１】
本実施形態では、受け部材２３は、クリックパッド２１の第１端部３１ａと第２端部３１ｂとを結ぶ方向Ｘに延びた孔５６が設けられている。第１支持部５１は、孔５６に挿入されたガイド５７を有する。この構成によれば、第１支持部５１は、孔５６に沿って移動可能であり、位置の調整が行いやすい。
【００６２】
本実施形態では、第１支持部５１は、該第１支持部５１の位置が調整された後に受け部材２３に固定される固定部６３を有する。この構成によれば、第１支持部５１の位置が安定しやすい。これにより、クリックパッド２１をさらに安定して支持することができる。
【００６３】
例えば、クリックパッド２１の中央部のクリック感は、比較的ばらつきが生じにくい。一方で、クリックパッド２１の端部のクリック感は、例えばクリックパッド２１のねじれなどの影響で、中央部に比べてばらつきが生じやすい。
【００６４】
一方で、本実施形態に係る電子機器１は、第１支持部５１と略同じ作用を有した第２支持部５２をさらに備える。第１支持部５１及び第２支持部５２は、クリックパッド２１の第３端部３１ｃと第４端部３１ｄとに分かれて位置する。この構成によれば、クリックパッド２１の端部のクリック感を安定して容易に調整することができる。
【００６５】
本実施形態では、第１支持部５１と第２支持部５２とは互いに連結されている。この構成によれば、第１支持部５１の位置と第２支持部５２の位置を同時に調整することができるので、クリック感の調整作業が行いやすい。
【００６６】
（第２実施形態）  
次に、図９及び図１０を参照して、第２実施形態に係る電子機器１について説明する。なお、第１実施形態の構成と同一または類似の機能を有する構成は、同一の符号を付してその説明を省略する。また、下記に説明する以外の構成は、第１実施形態と同じである。
【００６７】
図９及び図１０に示すように、本実施形態に係る第１及び第２支持部５１，５２は、クリック感調整部材２４に設けられた凸部である。このような凸部は、例えばクリック感調整部材２４の一部に絞り加工を行うことで形成される。
【００６８】
このような構成によれば、上記第１実施形態と同様に、電子機器１の高品位化を図ることができる。
【００６９】
（第３実施形態）  
次に、図１１を参照して、第３実施形態に係る電子機器１について説明する。なお、第１実施形態の構成と同一または類似の機能を有する構成は、同一の符号を付してその説明を省略する。また、下記に説明する以外の構成は、第１実施形態と同じである。
【００７０】
図１１に示すように、本実施形態に係る受け部材２３には、クリックパッド２１の第１端部３１ａと第２端部３１ｂとを結ぶ方向Ｘに沿って予め複数の取付位置７１（固定位置、取付領域、取付部）が設定されている。各取付位置７１は、第１及び第２の支持部５１，５２が着脱可能に取り付けられる固定部７２（第１係合部）が設けられている。固定部７２は、例えば穴である。
【００７１】
一方で、第１及び第２支持部５１，５２は、上記複数の取付位置７１から選択された一つの取付位置に取付可能である。第１及び第２の支持部５１，５２は、係合部７３（第２係合部）を有する。係合部７３は、例えば固定部７２に係合する突起である。なお、上記構成に代えて、固定部７２が突起であるとともに、係合部７３が穴であってもよい。
【００７２】
このような構成によれば、上記第１実施形態と同様に、電子機器１の高品位化を図ることができる。すなわち、第１及び第２の支持部５１，５２の位置を変更することで、クリックパッド２１のクリック感を容易に調整することができる。つまり、第１及び第２の支持部５１，５２の位置を、前方の取付位置７１にずらすことでクリック感を硬くすることができる。また、第１及び第２の支持部５１，５２の位置を、後方の取付位置７１にずらすことでクリック感を柔らかくすることができる。
【００７３】
なお、変形例として、第１及び第２の支持部５１，５２を其々複数用意するとともに、上記複数の取付位置７１のなかの２つ以上の取付位置７１に第１及び第２の支持部５１，５２を取り付けることでクリック感を調整できるようにしてもよい。
【００７４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７５】
例えばホルダ２２や受け部材２３、クリック感調整部材２４の大きさや形状は、上記例に限られない。例えば第１及び第２の支持部５１，５２は、互いに連結されておらず、個別に調整可能でもよい。また、支持部５１，５２は、複数設けられる必要はなく、例えば１つでもよい。
【００７６】
第１及び第２の支持部５１，５２のガイド５７は、受け部材２３の起立部３６ａ，３６ｂの内側に位置するものに限らず、受け部材２３の起立部３６ａ，３６ｂの外側に位置するものでもよい。すなわち、第１及び第２の支持部５１，５２のガイド５７に受け部材２３が挟まれる構造でもよい。受け部材２３を案内する構造は、孔５６とガイド５７に限られず、種々の構造が適宜採用可能である。第１及び第２の支持部５１，５２は、受け部材２３に取り付けられるものに限らず、筐体２または筐体２に収容された他の部品に取り付けられてもよい。
【符号の説明】
【００７７】
１…電子機器，２…筐体、１６…クリックパッドユニット、２１…クリックパッド、２１ａ…第１面、２１ｂ…第２面、２２…ホルダ、２３…受け部材、２４…クリック感調整部材、３１ａ…第１端部、３１ｂ…第２端部、３１ｃ…第３端部、３１ｄ…第４端部、３２…スイッチ、５１…第１支持部、５２…第２支持部、５３…連結部、５６…孔、５７…ガイド、６３…固定部、７１…取付位置、７２…固定部。
【図１】
2014146156.tif 000003
【図２】
2014146156.tif 000004
【図３】
2014146156.tif 000005
【図４】
2014146156.tif 000006
【図５】
2014146156.tif 000007
【図６】
2014146156.tif 000008
【図７】
2014146156.tif 000009
【図８】
2014146156.tif 000010
【図９】
2014146156.tif 000011
【図１０】
2014146156.tif 000012
【図１１】
2014146156.tif 000013